(57)【特許請求の範囲】
【請求項１】
整流子と、該整流子に接触して電流を供給する一対の供給部と、を備えた電動機であって、
各供給部が、
環状であってその内部に前記整流子が配置された通電部と、
該通電部を、該通電部の中心軸周りに回転可能に保持する通電部保持部と、
該通電部保持部を、前記通電部の内面が前記整流子の外面と接触するように付勢する付勢部と、を備えており、
前記一対の供給部は、
前記通電部の中心軸が前記整流子の中心軸と平行となるように、前記整流子の中心軸の方向に並ぶように配設されており、
前記整流子は、
該整流子の中心軸周りに配置された複数の端子を備えており、
該複数の端子は、
その外面が曲面であって、その曲率半径が前記通電部の内径と同じ長さになるように形成されている
ことを特徴とするモータ。
【請求項２】
整流子と、該整流子に接触して電流を供給する一対の供給部と、を備えた電動機であって、
各供給部が、
環状であってその内部に前記整流子が配置された通電部と、
該通電部を、該通電部の中心軸周りに回転可能に保持する通電部保持部と、
該通電部保持部を、前記通電部の内面が前記整流子の外面と接触するように付勢する付勢部と、を備えており、
前記一対の供給部は、
前記通電部の中心軸が前記整流子の中心軸と平行となるように、前記整流子の中心軸の方向に並ぶように配設されており、
前記付勢部は、
前記整流子の回転軸と直交する面に沿った前記通電部保持部の移動を案内する案内部を備えており、
該案内部は、
前記整流子を挟むように配置された一対のガイド軸を備えている
ことを特徴とするモータ。
【請求項３】
前記通電部保持部は、
ケースと、
該ケースに固定された外輪と、
該外輪の内部に配置され、該外輪に対して該外輪の中心軸周りに回転可能に設けられた内輪と、を備えており、
該内輪に、前記通電部が固定されている
ことを特徴とする請求項１または２記載のモータ。
【請求項４】
前記通電部は、
前記通電部保持部の前記外輪および前記内輪を介して外部と電気的に接続可能に設けられている
ことを特徴とする請求項３記載のモータ。
【請求項５】
整流子に接触して電流を供給する一対の供給部を備えており、
各供給部が、
環状であってその内部に前記整流子が配置された通電部と、
該通電部を、該通電部の中心軸周りに回転可能に保持する通電部保持部と、
該通電部保持部を、前記通電部の内面が前記整流子の外面と接触するように付勢する付勢部と、を備えており、
前記一対の供給部は、
前記通電部の中心軸が前記整流子の中心軸と平行となるように、前記整流子の中心軸の方向に並ぶように配設されており、
前記整流子は、
該整流子の中心軸周りに配置された複数の端子を備えており、
該複数の端子は、
その外面が曲面であって、その曲率半径が前記通電部の内径と同じ長さになるように形成されている
ことを特徴とする電力伝達機構。
【請求項６】
整流子に接触して電流を供給する一対の供給部を備えており、
各供給部が、
環状であってその内部に前記整流子が配置された通電部と、
該通電部を、該通電部の中心軸周りに回転可能に保持する通電部保持部と、
該通電部保持部を、前記通電部の内面が前記整流子の外面と接触するように付勢する付勢部と、を備えており、
前記一対の供給部は、
前記通電部の中心軸が前記整流子の中心軸と平行となるように、前記整流子の中心軸の方向に並ぶように配設されており、
前記付勢部は、
前記整流子の回転軸と直交する面に沿った前記通電部保持部の移動を案内する案内部を備えており、
該案内部は、
前記整流子を挟むように配置された一対のガイド軸を備えている
ことを特徴とする電力伝達機構。
【発明の詳細な説明】
【技術分野】
【０００１】
本発明は、モータおよび電力伝達機構に関する。さらに詳しくは、回転子に巻線が設けられた整流子を有するモータおよび電力伝達機構に関する。
【背景技術】
【０００２】
モータは、種々の場面で使用されており、例えば、電動工具や自動車等の駆動源として使用されている。モータにおいて、回転子に設けられた整流子（コミュテータ）に対する電力の供給はブラシを介して行われている。ブラシは、整流子と接触するように配置されており、整流子との接点で電流がブラシから整流子に供給されている。
【０００３】
ところで、モータを作動させると整流子は回転子ともに回転し、整流子とブラシの間に摩擦が発生する。このため、ブラシや整流子が摩擦によって摩耗すると、両者間の接触に不具合が生じ、ブラシから整流子への電流の供給が十分にできなくなる。
【０００４】
従来、ブラシや整流子が摩擦しても両者間の接触状態を維持するために、バネなどによってブラシを整流子に押し付ける機構が開発されている。しかし、摩耗が大きくなると、バネによる押し付けだけではブラシと整流子を十分に接触させることができなくなるという問題がある。
【０００５】
そこで、摩耗が大きくなっても、ブラシと整流子との間に十分な接触力を発生させるために、特許文献１に記載するような構造が開発されている。
【０００６】
特許文献１の技術では、整流子の内側に鉄製スリーブを配置しており、カーボンブラシ側にスプリングに加えて永久磁石を設けている。このため、永久磁石が鉄製スリーブに引き寄せられることで、スプリングによる付勢力と永久磁石の吸引力により安定した接触状態を維持することができる旨が記載されている。一方、カーボンブラシが磨耗した状態では、スプリングの付勢力は弱くなるが、永久磁石と鉄製スリーブの距離が短くなり永久磁石の吸引力が強くなるので、スプリングの付勢力が弱くなっても永久磁石によって安定した接触状態を維持することができる旨が記載されている。
【先行技術文献】
【特許文献】
【０００７】
【特許文献１】特開２０１２−１１４９７２号公報
【発明の概要】
【発明が解決しようとする課題】
【０００８】
しかるに、特許文献１の技術では、摩耗した際にブラシと整流子の接触状態は維持できるものの、スプリングに加えて永久磁石の吸引力が加わるので、両者間の接触力が強くなる。つまり、整流子が回転した際における両者間で発生する摩擦力は大きくなり、ブラシや整流子の摩耗が促進される可能性がある。すると、ブラシと整流子の寿命が短くなり、両者を頻繁に交換しなければならなくなる可能性がある。
【０００９】
また、大型の電動機であれば、ブラシと整流子を交換できるものもあるが、小型の電動機の場合、ブラシと整流子の交換が困難な場合がある。すると、ブラシと整流子の交換ができない電動機では、電動機自体を交換しなければならなくなる。そして、ブラシと整流子を交換できるものであっても、設置場所によっては、非常に交換が難しい場合もある。
【００１０】
ブラシと整流子の摩耗自体を減らすことができれば、電動機の寿命を長くでき、また、メンテナンスの回数も低減できるので、望ましい。
【００１１】
本発明は上記事情に鑑み、ブラシと整流子の摩耗を少なくでき、ブラシと整流子の寿命を長くできるモータおよび電力伝達機構を提供することを目的とする。
【課題を解決するための手段】
【００１２】
第１発明のモータは、整流子と、該整流子に接触して電流を供給する一対の供給部と、を備えた電動機であって、各供給部が、環状であってその内部に前記整流子が配置された通電部と、該通電部を、該通電部の中心軸周りに回転可能に保持する通電部保持部と、該通電部保持部を、前記通電部の内面が前記整流子の外面と接触するように付勢する付勢部と、を備えており、前記一対の供給部は、前記通電部の中心軸が前記整流子の中心軸と平行となるように、前記整流子の中心軸の方向に並ぶように配設されており、前記整流子は、該整流子の中心軸周りに配置された複数の端子を備えており、該複数の端子は、その外面が曲面であって、その曲率半径が前記通電部の内径と同じ長さになるように形成されていることを特徴とする。
第２発明のモータは、整流子と、該整流子に接触して電流を供給する一対の供給部と、を備えた電動機であって、各供給部が、環状であってその内部に前記整流子が配置された通電部と、該通電部を、該通電部の中心軸周りに回転可能に保持する通電部保持部と、該通電部保持部を、前記通電部の内面が前記整流子の外面と接触するように付勢する付勢部と、を備えており、前記一対の供給部は、前記通電部の中心軸が前記整流子の中心軸と平行となるように、前記整流子の中心軸の方向に並ぶように配設されており、前記付勢部は、前記整流子の回転軸と直交する面に沿った前記通電部保持部の移動を案内する案内部を備えており、該案内部は、前記整流子を挟むように配置された一対のガイド軸を備えていることを特徴とする。
第３発明のモータは、第１または２発明において、前記通電部保持部は、ケースと、該ケースに固定された外輪と、該外輪の内部に配置され、該外輪に対して該外輪の中心軸周りに回転可能に設けられた内輪と、を備えており、該内輪に、前記通電部が固定されていることを特徴とする。
第４発明のモータは、第３発明において、前記通電部は、前記通電部保持部の前記外輪および前記内輪を介して外部と電気的に接続可能に設けられていることを特徴とする。
第５発明の電力伝達機構は、整流子に接触して電流を供給する一対の供給部を備えており、各供給部が、環状であってその内部に前記整流子が配置された通電部と、該通電部を、該通電部の中心軸周りに回転可能に保持する通電部保持部と、該通電部保持部を、前記通電部の内面が前記整流子の外面と接触するように付勢する付勢部と、を備えており、前記一対の供給部は、前記通電部の中心軸が前記整流子の中心軸と平行となるように、前記整流子の中心軸の方向に並ぶように配設されており、前記整流子は、該整流子の中心軸周りに配置された複数の端子を備えており、該複数の端子は、その外面が曲面であって、その曲率半径が前記通電部の内径と同じ長さになるように形成されていることを特徴とする。
第６発明の電力伝達機構は、整流子に接触して電流を供給する一対の供給部を備えており、各供給部が、環状であってその内部に前記整流子が配置された通電部と、該通電部を、該通電部の中心軸周りに回転可能に保持する通電部保持部と、該通電部保持部を、前記通電部の内面が前記整流子の外面と接触するように付勢する付勢部と、を備えており、前記一対の供給部は、前記通電部の中心軸が前記整流子の中心軸と平行となるように、前記整流子の中心軸の方向に並ぶように配設されており、前記付勢部は、前記整流子の回転軸と直交する面に沿った前記通電部保持部の移動を案内する案内部を備えており、該案内部は、前記整流子を挟むように配置された一対のガイド軸を備えていることを特徴とする。
【発明の効果】
【００１３】
第１発明によれば、整流子の回転に伴って通電部も回転するので、整流子と通電部の間の摩擦を小さくできる。すると、整流子および通電部の摩耗を抑えることができるから、整流子および通電部の寿命を長くでき、モータ自体の寿命も長くできる。しかも、複数の端子と通電部の接触面積を大きくできるので、通電抵抗を小さくできる。そして、端子と通電部の接触面圧を小さくできるので、両者の摩耗を抑制することができる。
第２発明によれば、整流子の回転に伴って通電部も回転するので、整流子と通電部の間の摩擦を小さくできる。すると、整流子および通電部の摩耗を抑えることができるから、整流子および通電部の寿命を長くでき、モータ自体の寿命も長くできる。しかも、一対のガイド軸で通電部保持部を案内するので、整流子と通電部を安定した状態で接触させることができる。
第３発明によれば、通電部の外輪がケースに固定されているので、通電部を安定して保持することができる。
第４発明によれば、電気的に接続する部分の摩耗を少なくできるので、モータを長寿命化できる。
第５発明によれば、整流子の回転に伴って通電部も回転するので、整流子と通電部の間の摩擦を小さくできる。すると、整流子および通電部の摩耗を抑えることができるから、整流子および通電部の寿命を長くでき、モータ自体の寿命も長くできる。しかも、複数の端子と通電部の接触面積を大きくできるので、通電抵抗を小さくできる。そして、端子と通電部の接触面圧を小さくできるので、両者の摩耗を抑制することができる。
第６発明によれば、整流子の回転に伴って通電部も回転するので、整流子と通電部の間の摩擦を小さくできる。すると、整流子および通電部の摩耗を抑えることができるから、整流子および通電部の寿命を長くできる。しかも、一対のガイド軸で通電部保持部を案内するので、整流子と通電部を安定した状態で接触させることができる。
【図面の簡単な説明】
【００１４】
【図１】本実施形態のモータ１の概略断面図である。
【図２】（Ａ）は図１のＩＩＡ−ＩＩＡ線断面図であり、（Ｂ）は図１のＩＩＢ−ＩＩＢ線断面図である。
【図３】（Ａ）は他の実施形態のモータ１の概略断面図であり、（Ｂ）は（Ａ）のＢ−Ｂ線断面図である。
【発明を実施するための形態】
【００１５】
つぎに、本発明の実施形態を図面に基づき説明する。
本実施形態のモータは、回転子に巻線が設けられた整流子を有する電動機であって、整流子やモータを長寿命化できるようにしたことに特徴を有している。
【００１６】
本実施形態のモータの用途はとくに限定されないが、例えば、電動工具などのモータや車両、船舶、航空機等に使用することができる。とくに、一日の間で長時間（例えば１０時間以上連続して）駆動することが必要なモータや、メンテナンスが行いにくい部分で使用されるモータに適している。例えば、池などの水面に設置して水を攪拌して曝気する攪拌機等のモータに使用できる。そして、このモータを太陽電池で駆動するようにしておけば、水面に設置したままで放置しても、長期間、水を攪拌する機能を維持することが可能となる。
【００１７】
また、本実施形態のモータに採用されている機構は、整流子を有しているモータであれば、交流モータと直流モータのいずれにも採用することができる。
【００１８】
（本実施形態のモータ１）
つぎに、本実施形態のモータ１を説明する。
【００１９】
図１に示すように、本実施形態のモータ１は、整流子５に電流を供給する供給部１０の構造に特徴を有するものである。本実施形態のモータ１において、供給部１０の構造以外は、一般的なモータと実質的に同等の構造を有している。つまり、本実施形態のモータ１は、中空な本体ケース２と、本体ケース２内に配置された永久磁石で構成されて固定子３と、この固定子３が発生する磁界中に配置された回転子４と、を備えている。この回転子４は、その中心軸を貫通する軸シャフト４ｂを備えており、その両端が本体ケース２に回転可能に保持されている。そして、軸シャフト４ｂの一端は本体ケース２から外部に突出しており、その一端から外部に駆動力を出力できるようになっている。
【００２０】
また、回転子４は、固定子３が発生する磁界の位置に巻線４ａが設けられている。また、回転子の軸方向の一端には、巻線４ａと電気的に接続された整流子５が設けられている。この整流子５は、複数の端子５ａを備えており、この複数の端子５ａは、回転子４の軸を囲むように配設されている。具体的には、複数の端子５ａは、回転子４の軸を中心軸として、その中心軸周りに等角度間隔で配置されている（図２参照）。
【００２１】
したがって、本実施形態のモータ１の整流子５に、供給部１０を介して電流を供給すれば、回転子４が回転し、軸シャフト４ｂの一端から外部に駆動力を出力できる。
【００２２】
なお、本実施形態のモータ１は、軸シャフト４ｂの一端から駆動力を加えて回転子４を回転させれば、発電機として機能させることができる。つまり、回転子４の回転により発生した電流を供給部１０から取り出せば、外部に電力を供給することができる。例えば、風力発電の風車の回転軸を軸シャフト４ｂに連結すれば、発電された電力を外部に供給することができる。また、水力発電の水車の回転軸を軸シャフト４ｂに連結すれば、発電された電力を外部に供給することができる。
【００２３】
（供給部１０について）
図１および図２に示すように、本実施形態のモータ１は、一対の供給部１０，１０を備えている。この一対の供給部１０，１０は、整流子５の中心軸の方向に並ぶように配設されている。つまり、回転子４の軸シャフト４ｂの軸方向に沿って並ぶように配設されている。
【００２４】
一対の供給部１０，１０は、実質的に同じ構造を有しているので、以下では、図１の右側に位置する供給部１０を代表として、説明する。
【００２５】
図２（Ａ）に示すように、供給部１０は、平板上のケース１０ａを備えている。このケース１０ａには、中空な貫通孔１０ｈが形成されており、この貫通孔１０ｈに通電部保持部１２が設けられている。
【００２６】
この通電部保持部１２は、ケース１０ａに固定された外輪１３と、外輪１３の内部に配置された内輪１４を備えている。外輪１３と内輪１４は、その中心軸が同軸となるように配設されている。しかも、内輪１４は、外輪１３に対して相対的に移動できるように、外輪１３に連結されている。具体的には、内輪１４は、外輪１３に対して中心軸の軸方向には移動できないが、外輪１３に対してその中心軸周りに回転できるように設けられている。例えば、通電部保持部１２として、公知のベアリングを採用すれば、上記のごとき構成とすることができる。
【００２７】
この通電部保持部１２の内輪１４の内部には、導電性を有する素材、例えば、カーボンや鉄、銅合金などで形成された通電部１１が取り付けられている。この通電部１１は、環状の部材であり、その中心軸が内輪１４の中心軸と一致するように内輪１２に固定されている。つまり、通電部１１は、内輪１２とともに、外輪１３に対して（言い換えればケース１０ａに対して）、内輪１２の中心軸周りに回転できるように設けられている。
【００２８】
そして、上記のごとき構成を有する供給部１０は、付勢部１５に保持された状態で、整流子５が通電部１１の内部に位置し、かつ、通電部１１の中心軸が整流子５の中心軸（つまり回転子４の軸シャフト４ｂの中心軸）と平行となるように配置されている。
【００２９】
具体的には、付勢部１５は、一対のガイド軸１６，１６を備えている。この一対のガイド軸１６，１６は、整流子５を挟むように配置されており、その両端部が本体ケース２に連結されている。具体的には、一対のガイド軸１６，１６は、その軸が整流子５の中心軸と直交する面に内に位置するように配設されている。
【００３０】
この一対のガイド軸１６，１６に、ケース１０ａは、通電部１１の中心軸が整流子５の中心軸と平行となり、かつ、一対のガイド軸１６，１６に沿って移動できるように連結されている。つまり、ケース１０ａは、通電部１１の中心軸を整流子５の中心軸と平行に保ったまま移動できるように、一対のガイド軸１６，１６に連結されている。
【００３１】
そして、本体ケース２の内面とケース１０ａとの間には、バネなどの付勢部材１７が設けられている。つまり、ケース１０ａは、常時、整流子５に向かって付勢された状態に維持されている。言い換えれば、整流子５に対して通電部１１の内面が押し付けられた状態となるように、ケース１０ａは維持されているのである。
【００３２】
しかも、一対の供給部１０，１０は、付勢部１５の付勢部材１７によって付勢されたときに、各通電部１１が、整流子５の複数の端子５ａのうち互いに異なる端子５ａに接触するように配設されている。例えば、一方の供給部１０の通電部１１は、一方の供給部１０の通電部１１が接触するに端子５ａに対して、１８０度回転した位置の端子５ａに接するように配設されている。
【００３３】
以上のごとき構成であるので、本実施形態のモータ１において、一対の供給部１０，１０の通電部１１間に電圧を印加すれば、一般的なモータの一対のブラシと同様に、整流子５に対して電力を供給することができる。
【００３４】
しかも、電力が供給されることによって回転子４が回転して整流子５が回転した場合に、整流子５とともに通電部１１も回転させることができる。具体的には、整流子５の外面が回転する方向と同じ方向に通電部１１を回転させることができる。すると、整流子５と通電部１１が接触したまま一緒に移動する状態となるので、両者間で発生する摩擦を小さくできる。したがって、整流子５および通電部１１の摩耗を抑えることができるから、整流子５および通電部１１の寿命を長くでき、モータ１の寿命も長くできる。なお、上述した通電部１１の内面が特許請求の範囲にいう移動部に相当する。
【００３５】
（一対の供給部１０，１０の配置について）、
一対の供給部１０，１０は、付勢部１５の付勢部材１７によって付勢されたときに、整流子５の複数の端子５ａのうち異なる端子５ａに通電部１１が接触するように配設されていればよい。整流子５の中心軸周りにおける一対の供給部１０，１０の相対的な位置はとくに限定されない。
【００３６】
しかし、上述したように、一対の供給部１０，１０の通電部１１が整流子５の中心軸周りに互いに１８０度回転した位置となるように配設されていることが望ましい。かかる配置とすれば、回転子４の軸シャフト４ｂに対して半径方向から加わる力を相殺できる。つまり、付勢部１５によって通電部１１が整流子５に押し付けられた際に回転子４の軸シャフト４ｂに加わる力を相殺できる。すると、押し付け力が回転子４の回転に対する抵抗となりにくくなるので、回転子４をスムースに回転させることができる。
【００３７】
なお、上述した供給部１０のケース１０ａが特許請求の範囲にいう付勢部１５のケースに相当する。
【００３８】
（外部と電力のやり取りについて）
通電部１１に対して外部から電力を供給する方法はとくに限定されず、通電部１１に常時接触させておくことができる接触部を設ければよい。しかし、導電性を有する部材（例えば金属金物や導電性カーボン等）によって通電保持部１２の全体を形成すれば、通電保持部１２の外輪１３を外部電源などと接続すれば、通電部１１に電力を供給することができる。この場合、移動しない部材（外輪１３）に電力を供給すればいいので、安定して外部から電力を供給することができる。
【００３９】
（通電部保持部１２について）
上述したように、通電部保持部１２がベアリングによって形成されていれば、内輪１４が回転した際に、回転抵抗を少なくすることができる。つまり、内輪１４と外輪１３との間や、内輪１４および外輪１３とその間に配置されている部材との間の摩擦などを小さくできるので好ましい。しかし、内輪１４が外輪１３に対して回転でき、しかも、その摩擦を小さくできるのであれば、通電部保持部１２の構造（つまり内輪１４と外輪１３の連結構造）はとくに限定されない。例えば、内輪１４と外輪１３が摺動可能であって、内輪１４と外輪１３の間に導電性の潤滑剤のみが介在するような構成としてもよい。
【００４０】
また、通電保持部１２を上記のごとき構成（内輪と外輪とを備えた構成）とした場合、通電保持部１２の内輪１４を通電部１１として使用することも可能である。この場合、通電部１１と通電保持部１２の内輪１４の中心軸を合せなくてもよいので、モータの製造が容易になる。
【００４１】
なお、通電保持部は、必ずしも内輪と外輪とを備えた構成としなくてもよい。ケース１０ａに対して、通電部１１をその中心軸周りに回転できるように保持できる構成であればよい。しかし、通電保持部を上記のごとき構成（内輪と外輪とを備えた構成）とすれば、公知のベアリングを使用できるので、通電部１１の回転をスムースにできるし、モータを安価に製造することができる。
【００４２】
（整流子５について）
整流子５は、その中心軸周りに配置された複数の端子５ａを備えているが、複数の端子５ａの外面は、曲面であってその曲率半径が通電部１１の半径（中空部の半径）と同じ長さになるように形成されていることが望ましい。その場合、複数の端子５ａと通電部１１の接触面積を大きくできるので、通電抵抗を小さくできる。つまり、複数の端子５ａの外面と通電部１１の内面を面接触させることができるので、複数の端子５ａと通電部１１との間を電流が流れる際の通電抵抗を小さくできる。しかも、複数の端子５ａと通電部１１の接触面積が大きくなれば、両者間の接触面圧を小さくできるので、両者の摩耗も抑制することができる。
【００４３】
（供給部の他の例）
なお、供給部は、図３に示すような構造としてもよい。
図３に示すように、整流子５を挟むように、一対の供給部２０，２０を設ける。各供給部２０は、一対のベアリング２１，２１間に導電性の素材（例えばカーボンやアルミなど）からなるベルト２２を巻きかけて形成されている。このベルト２２は、整流子５の外面に面接触するように配設されている。そして、一対のベアリング２１，２１の内輪には軸部材２３の一端が固定されている。この軸部材２３の他端はケース２に固定されている。そして、一対の供給部２０，２０は、各供給部２０の一方の軸部材２３がそれぞれ電源に接続されている。例えば、直流電源の場合には、一対の供給部２０，２０のうち、一方の供給部２０の一方の軸部材２３が電源の陽極に接続され、他方の供給部２０の一方の軸部材２３が電源の陰極に接続される。したがって、電源から通電すれば、一対の供給部２０，２０を介して、整流子５に電力を供給することができる。しかも、整流子５の回転に伴って各供給部２０のベルト２２が整流子５と面接触したまま移動するので、整流子５とベルトの間で摩擦による摩耗が発生することを防止することができる。このベルト２２が特許請求の範囲にいう通電部に相当し、ベルト２２において整流子５と面接触する面が特許請求の範囲にいう移動部に相当する。
【００４４】
なお、ベルト２２と整流子５の接触状態を調整できる付勢力調整部を設けておくことが望ましい。付勢力調整部の構成はとくに限定されない。例えば、ベルト２２において一対のベアリング２１，２１間を、位置する部分を整流子５に向けて押し付けるローラ部材等を設ければ、ベルト２２と整流子５の接触状態を調整できる。
【００４５】
また、一対の供給部２０，２０の配設位置を調整すれば、付勢力調整部を設けなくても、ある程度の力でベルト２２を整流子５に向けて押し付けておくことができる。つまり、ベルト２２において整流子５に接触した部分が若干外方に凹むように（図３（Ｂ）参照）、一対の供給部２０，２０の設置位置を設定する。すると、一対の供給部２０，２０を配設するだけで、ある程度の力でベルト２２と整流子５とが接触した状態に維持することができる。
【００４６】
さらに、通電保持部を、一対のベアリングで構成してもよい。つまり、一対のベアリングによって整流子５を両側から挟み、かつ、一対のベアリングの回転軸と整流子５の回転軸が平行となるように配設する。そして、一対のベアリングの外輪が整流子５に接するように配置する。この場合、一対のベアリングの内輪に軸を連結し、その軸を電源に接続すれば、一対のベアリングから整流子５に電力を供給できる。そして、一対のベアリングは回転しながら整流子５に接触するので、両者の摩擦による摩耗を防止することができる。なお、この構成の場合にが、ベアリングの外輪が通電部に相当し、ベアリングの外輪の外面が特許請求の範囲にいう移動部に相当する。
【００４７】
（電力伝達機構）
上述したモータ１に採用されている供給部は、単体でも、使用できる。つまり、回転する整流子と外部との間を電気的に接続する部材として使用できる。その場合でも、整流子の回転に伴って通電部の移動部が移動するので、整流子と通電部の間の摩擦を小さくできる。すると、整流子および通電部の摩耗を抑えることができるから、整流子および通電部の寿命を長くできる。
【産業上の利用可能性】
【００４８】
本発明のモータは、電動工具や車両、太陽光発電の電力を利用して駆動する機器のモータ、風力や水力を利用した発電の発電機として適している。
【符号の説明】
【００４９】
１      モータ
３      固定子
４      回転子
５      整流子
５ａ    端子
１０      供給部
１１      通電部
１２      通電保持部
１３      外輪
１４      内輪
１５      付勢部
１６      ガイド軸
【要約】
【課題】ブラシと整流子の摩耗を少なくでき、ブラシと整流子の寿命を長くできるモータおよび電力伝達機構を提供する。
【解決手段】整流子５と、整流子５に接触して電流を供給する一対の供給部１０，１０と、を備えたモータ１であって、各供給部１０が、環状に形成され、その内部に整流子５が配置された通電部１１と、通電部１１を、通電部１１の中心軸周りに回転可能に保持する通電部保持部１２と、通電部保持部１２を、整流子５に接触するように付勢する付勢部１５と、を備えており、一対の供給部１０，１０は、通電部１１の中心軸が整流子５の中心軸と平行となるように、整流子５の中心軸の方向に並ぶように配設されている．
【選択図】図１【図１】
0005845505.tif 000002
【図２】
0005845505.tif 000003
【図３】
0005845505.tif 000004